(57)【特許請求の範囲】
【請求項１】
頭部にキャップ状の押ボタンを有し、軸方向及び回転方向の両方向にばね力を受ける操作部と、この操作部により操作されるスイッチ部とを備え、前記操作部は前記ばね力に抗して軸方向に押動操作されると押し込み状態にロックされ、このロック位置の操作部は前記ばね力に抗して捻回操作されるとロックが解除され、前記ばね力により待機位置に復帰する非常停止用押ボタンスイッチにおいて、
前記押ボタンの周壁に沿う周壁を有するベゼルを前記スイッチ部に固定して設け、このベゼルの周壁に錠前を通す施錠穴を形成するとともに、前記押ボタンの周壁に前記操作部のロック位置で前記ベゼルの施錠穴に重なる施錠穴を形成し、これらの施錠穴に跨らせて錠前を通すことにより前記操作部をロック位置に施錠するようにしたことを特徴とする非常停止用押ボタンスイッチ。
【請求項２】
前記押ボタンにその周壁の外周面から突出するピンを固定して設けるとともに、前記ベゼルの周壁の内周面に前記ピンと係合して前記操作部を回転方向に係止する段部を設け、前記操作部の待機位置で前記ピンを前記段部に係合させることにより、前記操作部をロック位置から前記ばね力に抗して一定角度捻回した状態に係止し、この待機位置で前記操作部を押動操作すると前記ピンの係合が外れ、前記操作部はばね力によりロック位置まで前記一定角度回転するようにしたことを特徴とする請求項１記載の非常停止用押ボタンスイッチ。
【請求項３】
前記押ボタンの内側に円筒状のシャッタを挿入し、このシャッタを軸方向には前記押ボタンと一緒に移動し、回転方向には前記押ボタンに対してスライドするように保持するとともに、このシャッタの外周面に前記操作部のロック位置で前記ベゼル及び押ボタンの施錠穴に重なる案内溝を設け、この案内溝により前記施錠穴に通す錠前を案内するようにしたことを特徴とする請求項２記載の非常停止用押ボタンスイッチ。
【請求項４】
前記操作部のロック位置において互いに重なるように、前記押ボタンの周壁及び前面壁と前記ベゼルの周壁とに施錠穴を形成するとともに、前記シャッタにこれらの施錠穴に跨る施錠溝を形成し、これらの施錠穴及び施錠溝を通して錠前を装着するようにしたことを特徴とする請求項３記載の非常停止用押ボタンスイッチ。
【請求項５】
前記押ボタンに設けた施錠穴と前記ベゼルに設けた施錠穴に跨ってシザースロックを装着するようにしたことを特徴とする請求項１ないし４のいずれかに記載の非常停止用押ボタンスイッチ。
【発明の詳細な説明】
【技術分野】
【０００１】
この発明は、非常時に負荷を停止させる非常停止用押ボタンスイッチに関する。
【背景技術】
【０００２】
非常停止用押ボタンスイッチ（以下、単に「押ボタンスイッチ」という。）は、緊急時や機械の保守点検時などに押ボタンを押動操作して負荷回路を強制開路し、かつ開路状態に自己保持（ロック）する機能を有するものである。押動操作した押ボタンスイッチを待機（操作待ち）状態に復帰（リセット）する方式として、押ボタンを捻回するもの（プッシュロック・ターンリセット方式）（特許文献２参照）や押ボタンを引き戻すもの（プッシュロック・プルリセット方式）がある。いずれにしても、負荷の停止状態で誤ってリセットされると、人命に関わる事故が発生する恐れがありきわめて危険である。そのため、操作の押ボタン部分を覆う施錠可能な保護カバー（誤操作防止カバー）を取り付けたり、押ボタン中心部にキーを挿入しなければリセット操作できない鍵付きスイッチを用いたりしている。誤操作防止カバーについては、例えば特許文献１に記載されている。
【特許文献１】特開平５−２０９５１号公報
【特許文献２】特開２００３−１７８６４３号公報
【発明の開示】
【発明が解決しようとする課題】
【０００３】
ところが、誤操作防止カバーはスイッチ本体と別部品であるため、手配モレや取付ミスにより設置が確保されない危険がある。また、鍵付きスイッチは挿入するキーが1本のみであるため、複数者が同時にキーを保有して二重、三重の安全を図りたい場合に対応できないという問題がある。
【０００４】
この発明の課題は、別部品を設けることなく非常停止用押ボタンスイッチの不用意なリセット（誤操作）を確実に防止できるようにすることにある。
【課題を解決するための手段】
【０００５】
上記課題を解決するために、この発明は、頭部にキャップ状の押ボタンを有し、軸方向及び回転方向の両方向にばね力を受ける操作部と、この操作部により操作されるスイッチ部とを備え、前記操作部は前記ばね力に抗して軸方向に押動操作されると押し込み状態にロックされ、このロック位置の操作部は前記ばね力に抗して捻回操作されるとロックが解除され、前記ばね力により待機位置に復帰する非常停止用押ボタンスイッチにおいて、前記押ボタンの周壁に沿う周壁を有するベゼルを前記スイッチ部に固定して設け、このベゼルの周壁に錠前を通す施錠穴を形成するとともに、前記押ボタンの周壁に前記操作部のロック位置で前記ベゼルの施錠穴に重なる施錠穴を形成し、これらの施錠穴に跨らせて錠前を通すことにより前記操作部をロック位置に施錠するようにするものである（請求項１）。
【０００６】
この発明は、誤操作防止カバーを用いることなく、非常停止用押ボタンスイッチに直に施錠できるようにするものである。そのために、施錠穴を有するベゼルをスイッチ部に固定して設けるとともに、操作部のロック位置でベゼルの施錠穴と重なる施錠穴を押ボタンに設け、これらの施錠穴に錠前を通すことにより、非常停止用押ボタンスイッチをロック状態に施錠する。請求項１の発明によれば、カバーなどの別部品が不要であり、また施錠穴は複数対設けることが可能なので、複数個の錠前で同時に施錠し、それらのキーを複数者に持たせることができる。
【０００７】
請求項１の発明において、前記押ボタンにその周壁の外周面から突出するピンを固定して設けるとともに、前記ベゼルの周壁の内周面に前記ピンと係合して前記操作部を回転方向に係止する段部を設け、前記操作部の待機位置で前記ピンを前記段部に係合させることにより、前記操作部をロック位置から前記ばね力に抗して一定角度捻回した状態に係止し、この待機位置で前記操作部を押動操作すると前記ピンの係合が外れ、前記操作部はばね力によりロック位置まで前記一定角度回転するようにするとよい（請求項２）。
【０００８】
この発明の押ボタンスイッチにおいて、ベゼルの施錠穴と押ボタンの施錠穴とは、待機位置では互いに位置がずれており、ロック位置で重なって施錠可能となる。その際、待機位置でベゼルと押ボタンの施錠穴に部分的に重なりがあると、この部分が隙間となって異物がスイッチ内に侵入する原因となる。従って、待機位置では両方の施錠穴の位置が完全にずれていることが望ましいが、軸方向（押ボタンの押動方向）のみの位置ずれでは部分的な重なりを避けることが困難な場合が起こり得る。その場合に、請求項２の発明により、操作部をロック位置からばね力に抗して一定角度捻回した位置に係止して待機させるようにすれば、待機状態の施錠穴の位置をベゼルの施錠穴から軸方向のみならず回転方向にもずらし、待機位置での施錠穴の重なり避けることが容易となる。待機位置の操作部は押動操作によりピンの係合が外れると、ばね力によりロック位置まで自動的に回転する。
【０００９】
請求項２の発明において、前記押ボタンの内側に円筒状のシャッタを挿入し、このシャッタを軸方向には前記押ボタンと一緒に移動し、回転方向には前記押ボタンに対してスライドするように保持するとともに、このシャッタの外周面に前記操作部のロック位置で前記ベゼル及び押ボタンの施錠穴に重なる案内溝を設け、この案内溝により前記施錠穴に通す錠前を案内するようにするとよい（請求項３）。
【００１０】
錠前を通す施錠穴は一つの錠前について２個設け、これら２個の施錠穴に跨らせて錠前を閂状に挿通するのが普通である。その場合、錠前が例えば南京錠であれば、Ｕ字形に湾曲した弦を２個の施錠穴に跨らせる作業は手探りになり厄介である。そこで、請求項３の発明により、押ボタンの内側に挿入したシャッタに錠前を案内する案内溝を設ければ、弦を挿通する施錠作業が容易になる。また、押ボタンの内側のシャッタは押ボタンやベゼルの周壁にあけられた施錠穴などの開口を塞ぎ、異物の侵入を防ぐ役割を兼ねることができる。
【００１１】
請求項３の発明において、前記操作部のロック位置において互いに重なるように、前記押ボタンの周壁及び前面壁と前記ベゼルの周壁とに施錠穴を形成するとともに、前記シャッタにこれらの施錠穴に跨る施錠溝を形成し、これらの穴及び施錠溝を通して錠前を装着するようにするとよい（請求項４）。
【００１２】
請求項１ないし４の何れかの発明において、前記押しボタンに設けて施錠穴とベゼルに設けた施錠穴に跨ってシザースロックを装着するようにしてもよい（請求項５）
この発明の押ボタンスイッチには複数個の錠前を同時に設置するようにすることが可能であるが、錠前に南京錠などを使用する場合、設置スペースの都合から、錠前の数は２〜３個に抑えられる。そこで、請求項５の発明により、押ボタンとベゼルとに跨らせてシザースロックを装着すれば、設置する錠前の数を任意に増加することができる。なお、ここでシザースロックとは、一対の開閉アームからなる鋏状のロック用具で、開閉アームの一端に施錠穴に嵌入されるフックを有し、他端に開閉アームの動作をロックするための多数の施錠穴を有するものを称している。
【発明の効果】
【００１３】
この発明によれば、押ボタンスイッチに直に施錠可能であるため、誤操作防止カバーのような別部品が不要であり、別部品の手配モレ等による施錠不能を招く恐れがない。また、１つの押ボタンスイッチに複数の錠前のための施錠穴を設けることが可能であるため、それらの錠前のキーを複数者に持たせ、重層的に誤操作防止を図ることができる。
【発明を実施するための最良の形態】
【００１４】
以下、この発明の実施の形態を、図に示す実施例について説明する。
【実施例１】
【００１５】
図１〜図５に、この発明の実施例１を示す。
【００１６】
ここで、図１は押ボタンスイッチの待機（操作待ち）状態の斜視図、図２は同じくロック（操作）状態の斜視図、図３は図２の III−III線に沿う要部縦断面図、図４は図１におけるベゼル内周面の段差を示す拡大説明図、図５は図２の押ボタンスイッチの施錠した状態の斜視図である。まず、図１において、押ボタンスイッチは頭部にキャップ状の押ボタンを有し、軸方向及び回転方向の両方向にばね力を受ける操作部１と、この操作部１により操作されるスイッチ部２とを備えている。なお、押ボタンスイッチは、ばねや接点などの金属部品を除いて樹脂成形品により製作されている。次に、その詳細な構成について説明する。
【００１７】
図１及び図３、特に図３において、操作部１は、押ボタン３、ターンボタン４、シャッタ５、押し棒６等からなっている。押ボタン３はキャップ状で操作面となる前面壁３ａと周壁３ｂとからなり、前面壁中心に円形穴があけられるとともにその周縁に環状壁３ｃが同心に形成され、環状壁３ｃの内周４箇所には係合爪３ｄが弾性変形可能に一体形成されている。ターンボタン４は一端の小径部４ａと他端の大径部４ｂとからなる段付き中空円筒体で、大径部４ｂの周壁には環状凹部４ｃが形成されている。ターンボタン４の頂部には、図示しないランプの光を透過させる半透明のグローブ７がねじ込みにより装着されている。
【００１８】
シャッタ５は押ボタン３と緩く嵌合する中空円筒体で、内壁面に段部が設けられ、この段部の端面は押ボタン３の環状壁３ｃと同一面に揃えられている。ターンボタン４は、シャッタ５が挿入された後の押ボタン３の中心穴に小径部４ａを介して嵌め込まれ、小径部付け根の溝と押ボタン３の係合爪３ｄとの係合により押ボタン３に結合されている。シャッタ５はターンボタン４により軸方向に押さえられ、押ボタン３の内側に回転方向にスライド可能に保持されている。押し棒６は中空円筒体で、下部に一対のロックチップ８を半径方向に出入自在に保持し、各ロックチップ８は図示しない圧縮コイルばねによりに外向きに付勢されている。
【００１９】
押し棒６は、圧縮コイルばねからなるトリガースプリング９を挟んで、ターンボタン４に軸方向に摺動可能に挿入され、その際、外周面に軸方向に形成された突条６ａがターンボタン４の大径部内周面に形成された軸方向の条溝４ｄと嵌合することにより、軸方向に案内されるとともに回転方向に回り止めされている。また、ターンボタン４に挿入された押し棒６は、外周面に突出形成された角柱状の突起６ｂがターンボタン４の大径部周壁にあけられた長方形の角穴４ｅに摺動可能に嵌め込まれ、トリガースプリング９のばね力に対抗して抜け止めされている。
【００２０】
次に、スイッチ部２は、フレーム１０、ベゼル１１、リングナット１２、図示しない接点ユニット等からなっている。フレーム１０は大径部１０ａと小径部１０ｂとからなる段付き中空円筒体で、大径部１０ａの周壁には、内外二重の環状凹部が同心的に設けられている。また、小径部１０ｂの内周面には、押し棒６のロックチップ８と係合するロックフランジ１０ｆが操作部１の捻回範囲に渡って一体形成されている。
【００２１】
ベゼル１１は、底板１１ａと周壁１１ｂとからなる底付き円筒体で、周壁１１ｂの外周面にはわずかなテーパが下太りに付けられている。このベゼル１１は底板中心の穴を介してフレーム１０の小径部１０ｂに嵌め込まれ、底板１１ａが大径部１０ａの段付き端面に超音波溶接や接着などにより固着されてフレーム１０に固定されている。リングナット１２は押ボタンスイッチを図示しない盤パネルに固定するためのもので、フレーム１０の小径部１０ｂに切られたねじ部に螺合されている。ベゼル１１及びリングナット１２の盤パネルとの接触面には、それぞれパッキン１３及び１４が取り付けられている。
【００２２】
操作部１はスイッチ部２に図３の上方から軸方向に挿入され、互いの環状の凹凸部の噛みあわせにより図示の通り摺動可能に組み合わされる。その際、ターンボタン４の環状凹部４ｃ及びフレーム１０の内側の環状凹部には復帰スプリング１５が挿入される。復帰スプリング１５は圧縮ばねと捩じりばねとを兼ねた円筒状のコイルスプリングで、両端がターンボタン４及びフレーム１０にそれぞれ結合され、操作部１はスイッチ部２から軸方向及び回転方向の両方向にばね力を受ける。トリガースプリング９は円筒状の圧縮コイルばねで、復帰スプリング１５に比べて小さなばね定数を有している。
【００２３】
図１の待機状態において、復帰スプリング１５は軸方向（圧縮方向）及び回転方向（捩じり方向）に予備変形され、その結果として操作部１は図１に円弧矢印で示す反時計方向の実線矢印で示す方向に常時付勢されている。その場合、図３の断面図では図示できないが、一対のロックチップ８を結ぶ直径と直交するに直径（図３の紙面に垂直な直径）上で押し棒６の外周部に爪が形成されており、この爪がフレーム１０のストッパに係合することにより、操作部１は復帰スプリング１５による軸方向力に対抗して待機位置に保持されている。なお、トリガースプリング９も、ターンボタン４と押し棒６との間で圧縮されている。
【００２４】
一方、図３のロック状態において、操作部１はロックチップ８がフレーム１０のロックフランジ１０ｆに係合して軸方向に保持され、ロックチップ８がロックフランジ１０ｆの周方向終端でフレーム１０の図示しないストッパに突き当たって回転方向に位置決めされている。図示しないが、スイッチ部２には図２の下端部に接点ユニットが収容されており、図３のロック状態において押し棒６は接点ユニットの操作棒を押し下げている。これにより、押ボタンスイッチの常閉接点（ｂ接点）が開離され、負荷回路の強制開路が達成されている。
【００２５】
ここで、図３を参照しながら、図１の待機状態から図２及び図３のロック状態に至る押動操作を説明すると次の通りである。待機状態（図１）から押ボタン３を押動操作すると、後述するピンの係止が外れ、操作部１は復帰スプリング１５の回転力によりロック位置（図２）まで、図１に実線矢印で示す反時計方向に一定角度回転した後、ロックチップ８がロックフランジ１０ｆに係合する。その際、押ボタン３が押動されると、押し棒６はトリガースプリング９を介して軸方向に押され、ロックチップ８がロックフランジ１０ｆに突き当たる。押ボタン３が更に押されると、ロックチップ８がロックフランジ１０ｆに突き当たったままトリガースプリング９が圧縮される。そして、トリガースプリング９の圧縮力が一定レベルを超えると、ロックチップ８がロックフランジ１０ｆを乗り越えて図３に示すように係合する。
【００２６】
上記動作において、ばね定数が復帰スプリング１５より小さいトリガースプリング９の役割は、押ボタン３が一定ストローク以上押動されないと、上記の通りロックチップ８を係合させないことにあり、これにより押ボタン３に不用意な接触が生じた場合の誤動作の防止が図られている。
【００２７】
図３の押ボタンスイッチをリセットするには、操作部１を復帰スプリング１５に抗して時計方向（図２の破線矢印方向）に所定角度捻回させる。すると、ロックチップ８がロックフランジ１０ｆに形成された図示しない軸方向の切欠きに達して係合が外れ、操作部１は復帰スプリング１５の軸方向力により持ち上げられる。これにより、押ボタンスイッチの常閉接点が閉成され負荷回路が閉路される。更に、ロックチップ８がロックフランジ１０ｆの切欠きを通過した時点で、操作部１は復帰スプリング１５の回転方向力により反時計方向（図１の実線矢印方向）に駆動され待機位置に達する。なお、プッシュロック・ターンリセット方式の押ボタンスイッチの基本構造については、例えば特許文献２を参照されたい。
【００２８】
ここで、図１及び図２において、ベゼル１１の周壁１１ｂには、２個を１組とする施錠穴１６（１６ａ,１６ｂ）が２組形成されている。なお、図１及び図２では、２組の内の一方の組の２個の施錠穴１６ａ,１６ｂのみが図上に現れており、他方の組はその反対側にある。また、押ボタン３の周壁３ｂには、施錠穴１６と同形の２個を１組とする施錠穴１７（１７ａ,１７ｂ）が、施錠穴１６と対応するように２組形成されている。そして、ベゼル１１の施錠穴１６と押ボタン３の施錠穴１７とは、図２に示す操作部１のロック位置で互いに重なり、図１に示す待機位置で軸方向及び回転方向に位置ずれして、施錠穴１６は押ボタン３の周壁３ｂで隠されるように位置設定されている。なお、図１に示す押ボタンスイッチの待機状態で、操作部１は図２のロック位置から破線矢印で示す時計方向に一定角度捻回された位置にあるが、この点について次に説明する。
【００２９】
すなわち、図１及び図２において、押ボタン３には、その周壁３ｂの外周面から突出するように、円柱状の短いピン１８が固定して設けられている。そして、ベゼル１１の周壁１１ｂの内周面には、ピン１８と係合する段部１９が設けられている。段部１９は周壁１１ｂの内周面の肉が、図４に示す形状の範囲で除去されることにより形成され、ピン１８は段部１９の内側では自由に移動できるが段部１９に当ると係止されるようになっている。
【００３０】
操作部１がロック位置にある図２の押ボタンスイッチにおいて、ピン１８は図４のＥの位置にある。また、操作部１が待機位置にある図１の押ボタンスイッチにおいて、ピン１８は図４のＡの位置で段部１９の垂直部１９ａに係止されている。この待機位置Ａはロック位置Ｅから復帰スプリング１５の回転方向力に抗して一定角度（図示の場合は３２°）捻回された状態にある。更に、上に述べた押ボタンスイッチのリセット動作の過程において、操作部１はピン１８がＦ位置に来るまで捻回される。
【００３１】
この押ボタンスイッチの操作時におけるピン１８の動きは次のようになる。図４において、待機状態（図１）の押ボタンスイッチの押ボタン３を押動操作すると、位置Ａにあったピン１８は下向き矢印の方向に動き、位置Ｂにおいて段部１９ａによる係止が外れる。そこで、ピン１８は復帰スプリング１５の回転方向力により、右向き矢印の方向に動いて位置Ｃに移動する。そのまま押動操作を続けると、ピン１８は下向き矢印の方向に動いて位置Ｄまで達する。ここで操作を完了し押ボタン３を開放すると、ピン１８は上向き矢印方向に動いて位置Ｅまで移動し、押ボタンスイッチはロック状態（図２）となる。このロック状態では図３に示した通り、押し棒６のロックチップ８がフレーム１０のロックフランジ１０ｆに係合し、図示しない接点ユニットの常閉接点は開離する。
【００３２】
押ボタンスイッチのリセット時には、押ボタン３を時計方向の捻回操作すると、位置Ｅのピン１８は左向き矢印方向に一定角度（図示の場合は４５°）動いて位置Ｆまで移動する。同時にロックチップ８の係合がはずれ、復帰スプリング１５の軸方向力により位置Ｇまで移動し、次いで回転方向力により一定角度（図示の場合は４５°−３２°＝１３°）反時計方向に動き、位置Ａまで達して待機状態に戻る。
【００３３】
ここで、図示の実施例１ではピン１８を段部１９ａで位置Ａに係止することにより、操作部１をロック位置（Ｅ）から一定角度（３２°）手前の位置で待機させているが、リセット時にピン１８による係止を行わず、操作部１をロック位置と同じ角度位置まで復帰させてもよい。しかし、その場合には、待機位置とロック位置との間の施錠穴１６と施錠穴１７の位置ずれが軸方向のみとなり、待機状態で施錠穴１６をベゼル１１で完全に隠すことができないことが起こり得る。その場合、ロック位置の一定角度手前で操作部１を待機させれば、図１に示す通り、待機位置で施錠穴１７の位置を施錠穴１６から回転方向にもずらし、施錠穴１６を押ボタン３の周壁３ｂで隠すことが容易になる。
【００３４】
さて、ベゼル１１の施錠穴１６（１６ａ,１６ｂ）と押ボタン３の施錠穴１７（１７ａ,１７ｂ）とが重なる図２のロック状態において、図５に示すように、施錠穴１６,１７に跨るように錠前２０が通され、操作部１はロック位置に施錠される。図示の場合、錠前２０には南京錠が用いられ、その弦２０ａは施錠穴１６及び１７の各２個の穴１６ａ,１６ｂ及び１７ａ,１７ｂをそれぞれ閂状に貫通している。施錠穴１６及び１７は２組設けられているため、錠前２０は図示の通り２個装着される。図示押ボタンスイッチによれば、錠前２０が直に装着可能であるため、誤操作防止カバーのような別部品が不要である。また、２個の錠前が同時に装着可能であるため、２者が各々の鍵を別々に保有し、それらの鍵が揃わなければ解錠できないようにすることにより、安易な解錠による押ボタンスイッチの不測のリセットがより確実に防止される。
【００３５】
ここで、図１〜図３において、シャッタ５の外周面には、押ボタン３の２組の施錠穴１７にそれぞれ対応するように、２個の施錠溝２１が形成されている。なお、図１及び図２では施錠溝２１は１個のみ見えており、他の１個はその反対側にある。施錠溝２１は図３に示すように断面Ｕ字状で、周方向に長く形成されている。そして、施錠溝２１は図２のロック状態において、押ボタン３の施錠穴１７と重なり、その２個の穴１７ａ,１７ｂ間に、従って施錠穴１６の２個の穴１６ａ,１６ｂ間にも渡るように位置が定められている。そこで、ロック状態で錠前２０を装着する際、弦２０ａを施錠溝２１に沿わせて挿入すれば、弦２０ａを穴１６ａ,１６ｂ及び穴１７ａ,１７ｂに円滑に貫通させることができる。
【００３６】
また、図１及び図２において、操作部１のロック位置において互いに重なるように、押ボタン３の前面壁３ａと周壁３ｂ及びベゼル１１の周壁１１ｂとに、施錠穴２２、２３及び２４がそれぞれ形成されるとともに、シャッタ５にロック穴２２〜２４に跨る施錠溝２５が形成されている。これらのロック穴２２〜２４及び施錠溝２５には、図５に示すようにシザースロック２６が装着される。ここで、シザースロック２６は、軸２７で鋏状に連結された一対の開閉アーム２８及び２９からなるロック用具で、開閉アーム２８,２９の一端にフックを有し、他端に開閉アーム２８,２９の動作をロックするために多数（図示は６個）の錠前を装着するための施錠穴３０を有している。
【００３７】
このシザースロック２６は、図５に示すようにフックが施錠穴２２〜２４に嵌入され、施錠穴３０に図示しない錠前、例えば南京錠が装着されることにより操作部１をロックする。シザースロック２６を用いることにより、押ボタンスイッチに直に装着される錠前２０の他に錠前を別途装着し、施錠をより重層化することができる。
【実施例２】
【００３８】
図６〜図１２にこの発明の実施例２を示す。
【００３９】
ここで、図６は押ボタンスイッチの待機（操作待ち）状態の斜視図、図７は同じくロック（操作）状態の斜視図、図８はロック状態における復帰操作を説明する斜視図、図９は構成を説明するための分解斜視図、図１０は、図６のＸ−Ｘ線に沿う要部断面図、図１１は図７のＸＩ−ＸＩ線に沿
う要部縦断面図、図１２は図７のロック状態の押ボタンスイッチに施錠した状態を示す斜視図である。
【００４０】
この実施例２の構成は、ほとんど前記実施例１の構成と同じであるので、同一構成要素は同一符号を付して示す。
【００４１】
図６〜図１２に示すように、この実施例２の押ボタンスイッチはスイッチ部２（接点ユニットは図示を省略）の円筒状のフレーム１０の外周に間隔をおいてベゼル１１を固定的に取り付ける。そしてカップ状に構成された押ボタン３の周壁３ｂをフレーム１０とベゼル１１との間の隙間内にスライド可能に挿入し、押ボタン３とフレーム１０の間に復帰スプリング９を介装する。押ボタン３内に嵌着されたターンボタン４およびこれにトリガースプリング９を介して結合された押し棒６をフレーム１０の中心穴内にスライド可能に挿入する。押し棒６には、スプリング８１を介して直径方向に出没可能に保持された１対のロックチップ８が設けられる。フレーム１０の内周には、このロックチップ８を係止するためのロックフランジ１０ｆが設けられる。
【００４２】
押ボタンスイッチの待機状態（図６および図１０）においては、図１０に示すようにロックチップ８は、押し棒６が押し込まれていないので、ロックフランジ１０ｆの上方に位置し、これに係合することはない。押ボタン３を矢印方向に押動操作したとき、押し棒６が押し込まれることにより、ロックチップ８がこのロックフランジ１０ｆと係合し、これを乗り越えた位置で図１１に示すようにこれに係止され、押ボタン３を押し込み位置でロックし、この状態を保持（図７、図１１参照）する。これにより図示しないスイッチ部２の接点ユニットの操作棒を押し下げることにより、押ボタンスイッチの常閉接点（ｂ接点）が開離され、負荷回路が強制開路される。
【００４３】
これをリセット（復帰）するときは、図８に示すように、押ボタン３を矢印で示すように時計方向へ所定の角度、例えば４５°回転すると、これとともに押し棒６が回転し、ロックチップ８が、ロックフランジ１０ｆにロック位置から４５°の位置に設けられた部分的な切欠き（図示せず）で係止が解かれるため、押ボタン３等が復帰スプリング１５により軸方向および回転方向に駆動され、図６および図１０に示す待機位置に復帰され、押ボタンスイッチの、いわゆるプッシュロック・ターンリセット動作が行われる。
【００４４】
ロック位置において、リセット操作ができないようにするため、ベゼル１１の周壁には、２個１組の施錠穴１６（１６ａ、１６ｂ）が１組以上設けられる。図示する実施例では２組設けられている。フレーム１０のベゼル１１に設けた施錠穴１６と対向する位置に各組の２個の施錠穴１６ａと１６ｂに亘る長さの施錠溝１０ｇが設けられる。そしてベゼル１１とフレーム１０との間の押ボタン３の周壁３ｂには、押ボタン３をロック位置に押し込んだ状態において、ベゼル１１の施錠穴１６およびフレーム１０の施錠溝１０ｇと対向する位置に施錠穴３ｈが設けられる（図６、図９、図１０参照）。
【００４５】
リセット（待機）状態においては、図６および図１０に示すように、押ボタン３が復帰スプリング１５により押し上げられた状態にあるため、押ボタン３の周壁３ｂに設けられた施錠穴３ｈがベゼル１１およびフレーム１０の施錠穴１６および施錠溝１０ｇの位置から上方に位置にする。このため、施錠穴１６と施錠溝１０ｇが押ボタン３の周壁３ｂによって遮られ、施錠穴１６に錠前やシザースロックを装着することができない。
【００４６】
押ボタン３を押し込み、押ボタンスイッチを図７および図１１に示すようなロック状態にすると、押ボタン３の周壁３ｂの施錠穴３ｈが、ベゼル１１およびフレーム１０の施錠穴１６および施錠溝１０ｇと対向する位置に置かれるため、３つの施錠穴１６、３ｈ、１０ｇが貫通する。したがってロック状態では、施錠穴１６から図１２に示すように錠前２０またはシザースロック２６を装着することができ、これにより押ボタン３が施錠される。このように押ボタン３が施錠されると、押ボタン３を回転操作しても、錠前２０の弦２０ａおよびシザースロック２６の開閉アーム２８、２９が、施錠穴１６の一方の施錠穴１６ａまたは１６ｂの内壁に当たるところで回動が阻止され、リセット動作に必要な所定の角度、例えば４５°は回転させることができず、リセット動作が阻止される。錠前２０およびシザースロック２６の施錠を解いてこれらを押ボタン３から外してから、押ボタン３の回転操作を行うことによりリセット動作を行うことができる。
【００４７】
ベゼル１１、フレーム１０および押ボタン３に設けた施錠穴１６等は、錠前の弦や、シザースロックのアームを緩く通すことができるような大きさに選ばれており、押ボタン３等に装着された錠前２０等は、図１２に円弧矢印で示すようにかなり自由に揺動することができる。これにより、錠前２０等を外すときに鍵の装着や開錠操作がやりやすい向きに向けることができ、開錠操作が容易となる。
【００４８】
この実施例２の押ボタンスイッチは、押ボタン３を押し込んでセット（ロック）状態に操作するときは、押ボタン３は軸方向のみに移動させ、リセットするとき、押ボタンスイッチを回転操作することによってロック状態を解除してリセット（復帰）位置に復帰させるとき軸方向および回転方向に移動させるようにして、実施例１の場合に比べてベゼル１１の高さを高くして、待機位置において押ボタン３の周壁３ｂに設けた施錠穴３ｈがベゼル１１の内側に隠れるようにしている。これにより実施例１におけるシャッタ５が不要となる。
【図面の簡単な説明】
【００４９】
【図１】この発明の実施例１を示す非常停止用押ボタンスイッチの待機状態の斜視図である。
【図２】図１の押ボタンスイッチのロック状態の斜視図である。
【図３】図２のIII−III線に沿う縦断面図である。
【図４】図１におけるベゼル内周面の段差を示す拡大説明図である。
【図５】図２の押ボタンスイッチに施錠した状態を示す斜視図である。
【図６】この発明の実施例２を示す非常停止用押ボタンスイッチの待機状態の斜視図である。
【図７】図６の押ボタンスイッチのロック状態の斜視図である。
【図８】図６の押ボタンスイッチのリセット操作を説明する斜視止図である。
【図９】図１の押ボタンスイッチの分解斜視図である。
【図１０】図６のＸ−Ｘ線に沿う縦断面図である。
【図１１】図７のＸＩ−ＸＩ線に沿う縦断面図である。
【図１２】図７の押ボタンスイッチに施錠した状態を示す斜視図である。
【符号の説明】
【００５０】
１    操作部
２    スイッチ部
３    押ボタン
３ｈ、１６、２２〜２４    施錠穴
４    ターンボタン
５    シャッタ
６    押し棒
８    ロックチップ
１０    フレーム
１０ｇ、２１、２５    施錠溝
１１    ベゼル
１５    復帰スプリング
１７    施錠穴
１８    ピン
１９    段部
２０    錠前
２６    シザースロック
【図１】
0004620598.tif 000002
【図２】
0004620598.tif 000003
【図３】
0004620598.tif 000004
【図４】
0004620598.tif 000005
【図５】
0004620598.tif 000006
【図６】
0004620598.tif 000007
【図７】
0004620598.tif 000008
【図８】
0004620598.tif 000009
【図９】
0004620598.tif 000010
【図１０】
0004620598.tif 000011
【図１１】
0004620598.tif 000012
【図１２】
0004620598.tif 000013